【手続補正書】
【提出日】平成17年6月7日(2005.6.7)
【手続補正１】
【補正対象書類名】明細書
【補正対象項目名】特許請求の範囲
【補正方法】変更
【補正の内容】
【特許請求の範囲】
【請求項１】
駆動源であるモータと、
該モータを収容する胴体部と、該胴体部から延びるハンドル部と、該ハンドル部の端部に設けられた被覆部と、を有するハウジングと、
該被覆部に一部が収容された状態で該ハンドル部に取り付けられる蓄電池と、
を備えた電動工具において、
該蓄電池をハンドル部に着脱するための操作部を該蓄電池の側面に設け、
さらに、該ハンドル部から延びる保持部と、該保持部の側方から回動可能に挿入される係止部材とを設け、
該係止部材の回動範囲を該係止部材が該被覆部付近に隣接する位置までに規制した
ことを特徴とする電動工具。
【請求項２】
駆動源であるモータと、
該モータを収容する胴体部と、該胴体部から延びるハンドル部と、該ハンドル部の端部に設けられた被覆部と、を有するハウジングと、
該被覆部に一部が収容された状態で該ハンドル部に取り付けられる蓄電池と、
を備えた電動工具において、
該蓄電池をハンドル部に着脱するための操作部を該蓄電池の側面に設け、
さらに、該ハンドル部から延びる保持部と、該保持部の側方から回動可能に挿入される係止部材とを設け、
ストラップを係止するためのストラップ用ネジと、
該ストラップ用ネジを挿通させるための挿通穴とを該保持部の下方に設けた
ことを特徴とする電動工具。
【請求項３】
該操作部を該蓄電池の側面に設け、
該係止部材を該被覆部付近に隣接配置した
ことを特徴とする請求項２記載の電動工具。
【請求項４】
駆動源であるモータと、
該モータを収容する胴体部と、該胴体部から延びるハンドル部と、該ハンドル部の端部に設けられた被覆部と、を有するハウジングと、
該被覆部に一部が収容された状態で該ハンドル部に取り付けられる蓄電池と、
を備えた電動工具において、
該蓄電池をハンドル部に着脱するための操作部を該蓄電池の側面に設け、
さらに、該ハンドル部から延びる保持部と、該保持部の側方から回動可能に挿入される係止部材とを設け、
該係止部材は、基端部と、該基端部に設けられる角度調整用ギヤ部と、該基端部から突設される回転抑止板とを有し、
該保持部は、該基端部を収容する貫通穴と、該角度調整用ギヤ部と噛み合うことで該係止部材の位置を固定するリングギヤ部と、該回転抑止板と当接することで該係止部材の回動範囲を規制する回転抑止板受容溝とを有し、
該係止部材が該被覆部に隣接する位置で、該角度調整用ギヤ部と該リングギヤ部とが噛み合うと共に、該回転抑止板と該回転抑止板受容溝とが当接するように構成した
ことを特徴とする電動工具。
【請求項５】
駆動源であるモータと、
該モータを収容する胴体部と、該胴体部から延びるハンドル部と、該ハンドル部の端部に設けられた被覆部と、を有する分割可能なハウジングと、
該被覆部に一部が収容された状態で該ハンドル部に取り付けられる蓄電池と、
を備えた電動工具において、
該蓄電池をハンドル部に着脱するための操作部を該蓄電池の側面に設け、
さらに、該ハンドル部から延びる保持部と、該保持部の側方から回動可能に挿入される係止部材とを設け、
該係止部材は、該係止部材の一端に連設される基端部と、該基端部に設けられる角度調整用ギヤ部とを有し、
該保持部は該基端部を収容する貫通穴と、該角度調整用ギヤ部と噛み合うことで該係止部材の位置を固定するリングギヤ部を有し、
該ハウジングの分割面を中心として該リングギヤ部を対称に設け、該係止部材を直線状部を有するＬ字形で構成することで、該係止部材を該保持部のいずれの側から装着しても該係止部材が該被覆部に隣接するように構成した
ことを特徴とする電動工具。
【手続補正２】
【補正対象書類名】明細書
【補正対象項目名】００１８
【補正方法】変更
【補正の内容】
【００１８】
【課題を解決するための手段】上記目的は、駆動源であるモータと、該モータを収容する胴体部と、該胴体部から延びるハンドル部と、該ハンドル部の端部に設けられた被覆部と、を有するハウジングと、該被覆部に一部が収容された状態で該ハンドル部に取り付けられる蓄電池と、を備えた電動工具において、該蓄電池をハンドル部に着脱するための操作部を該蓄電池の側面に設け、さらに、該ハンドル部から延びる保持部と、該保持部の側方から回動可能に挿入される係止部材とを設け、該係止部材の回動範囲を該係止部材が該被覆部付近に隣接する位置までに規制することにより達成される。
【手続補正３】
【補正対象書類名】明細書
【補正対象項目名】００２１
【補正方法】変更
【補正の内容】
【００２１】
なお、上述した減速機構部４は、ハウジング１内に回転止めを有し支持されている固定歯車支持治具４ａ、固定歯車４ｂ、遊星歯車４ｃ、スピンドル９とを有し、且つスピンドル９に支持される固定歯車４ｂの回転軸となるニードルピン４ｄとから構成されており、また打撃機構部７は、スピンドル９と、スピンドル９に形成したカム溝９ａに挿入されるスチールボール１０（鋼球）を介して回転可能且つ回転軸軸方向に移動可能なハンマ１１と、ハンマ１１に設けた複数のハンマ爪１１ａにより打撃され回転するアンビル爪１２ａを有するアンビル１２と、ハンマ１１をアンビル１２側に常に付勢するスプリング１３とから構成されている。
【手続補正４】
【補正対象書類名】明細書
【補正対象項目名】００２５
【補正方法】変更
【補正の内容】
【００２５】
フック部１９は、ビット等の先端工具２０を収容可能な樹脂から成る略円筒形の基端部１６ａを有する係止部材１６と、この係止部材１６の基端部１６ａを収容可能な貫通穴１７ａを有し且つハンドル部１ｂから蓄電池６の側面に隣接する位置まで延在する保持部１７と、この保持部１７内に挿通され且つ基端部１６ａ内に設けた抜け止め部材であるナット１６ｂに螺合して保持部１７から係止部材１６が抜け出てしまうことを防ぐ固定部材であるボルト２１と、係止部材１６を回動不能位置にロックする方向に付勢して成るスプリング或いは弾性ゴム等の弾性体２２とから構成されており、略Ｌ字形を成す係止部材１６の基端部１６ａには、枢軸２３を回転軸とする円筒状の回転筒１６ｃと、この回転筒１６ｃ上に設けられ且つ枢軸２３方向に突設し且つ枢軸２３の半径方向外側に突出する複数の歯を有する角度調整用ギヤ部１６ｄと、この角度調整用ギヤ部１６ｄの内径と略同径に突設する第１リング部１６ｅと、この第１リング部１６ｅの外径と同等或いはそれより小径の第２リング部１６ｆとが設けられている。また、基端部１６ａの内部には、第２リング部１６ｆ側から挿通されるボルト２１と螺合するナット１６ｂを回転不能に収容する半六面壁形状のナット収容部１６ｇが設けられていると共に、このナット収納部１６ｇから第２リング部１６ｆまでボルト２１を収容するための貫通穴（ボルト穴）１７ａが枢軸２３方向に設けられている。また、反角度調整用ギヤ部１６ｄ側位置する回転筒１６ｃの端面、即ち滑止部１６ｈを有する係止部材１６における回転筒１６ｃの立ち上がり突設部には、回転筒１６ｃの外径より大きい外径を形成するための段差部１６ｉを設けていると共に、回転筒１６ｃの外周には係止部材１６の回動範囲を所定の角度内に規制するための回転抑止板１６ｊを突設している。
【手続補正５】
【補正対象書類名】明細書
【補正対象項目名】００２９
【補正方法】変更
【補正の内容】
【００２９】
因みに本実施例では、上述したように保持部１７の左右どちらに係止部材１６を装着しても問題のない形状になっているが、蓄電池６の操作部６ａを操作する際に係止部材１６が邪魔にならないように係止部材１６の形状を略直線的形状のものから屈曲形状として良い。但し、この場合、例えば保持部１７の左側から係止部材１６を挿通した時と保持部１７の右側から係止部材１６を挿通した時とでどちらか一方から挿通した時に係止部材１６の上下が逆になるため、蓄電池６の操作部６ａ上に係止部材１６が位置してしまう場合が生じてしまう。よって、必要に応じて係止部材１６を交換する場合には、左側専用係止部材或いは右側専用係止部材のように専用の係止部材を個別に用意する必要があり、使い勝手が悪くなってしまうと共に、使用者に経済的負担をかけてしまうものになってしまう。
【手続補正６】
【補正対象書類名】明細書
【補正対象項目名】００３３
【補正方法】変更
【補正の内容】
【００３３】
次に図５〜図１０を用いて電動工具の打撃機構部７を収容するハンマケース２の外周に着脱自在な樹脂製のカバー２５について説明する。図５はカバー２５の外観斜視図を示しており、図１に示すようにアルミ製のハンマケース２の外周に装着されて使用される。ハンマケース２は、ハウジング１に複数の締付けネジ２６を用いて一体的に締付け固定されるが、この締付けネジ２６の頭部２６ａは電動工具の外観に露出している。このように露出していると図９に示す作業を行う場合に締付けネジ２６が被削材１４に接触してしまい、被削材１４に傷を付けてしまうという問題が生じる。